(57)【要約】 【課題】表示パネルの駆動方法およびそれを行うための表示装置に関し、詳細には表示品質を向上させることができる表示パネルの駆動方法およびそれを行うための表示装置を提供する。【解決手段】表示パネルの駆動方法は、第１周波数信号駆動区間、第２周波数信号駆動区間および第１周波数信号駆動区間と第２周波数信号駆動区間との間に補償フレームが挿入される区間を含む。補償フレームは、１回挿入されてもよい。第１周波数信号が第２周波数信号より周波数が高い時、補償フレームは、第２周波数信号のフレームより短いこともある。第１周波数信号が第２周波数信号より周波数が低い時、補償フレームは、第１周波数信号のフレームより短いこともある。これにより、低周波の駆動周波数から高周波の駆動周波数に周波数が変更される際に発生するフリッカを防止して表示品質を向上させることができる。【選択図】図５
2015102869.tif 000002
【特許請求の範囲】
【請求項１】
第１周波数信号駆動区間と、
第２周波数信号駆動区間と、
前記第１周波数信号駆動区間と前記第２周波数信号駆動区間との間に補償フレームが挿入される区間と、を含む表示パネルの駆動方法。
【請求項２】
前記補償フレームは、１回挿入されることを特徴とする請求項１に記載の表示パネルの駆動方法。
【請求項３】
前記第１周波数信号は、前記第２周波数信号より周波数が高いことを特徴とする請求項２に記載の表示パネルの駆動方法。
【請求項４】
前記補償フレームは、前記第１周波数信号のフレームより長いことを特徴とする請求項３に記載の表示パネルの駆動方法。
【請求項５】
前記補償フレームは、前記第２周波数信号のフレームより短いことを特徴とする請求項３に記載の表示パネルの駆動方法。
【請求項６】
共通電圧は前記表示パネルに印加され、実質的にピクセルで認識される前記共通電圧を実質共通電圧といい、
前記実質共通電圧が、前記表示パネルの反転駆動によって第１ピークと第２ピークとの間で増加および減少するとき、前記補償フレームの長さは、前記実質共通電圧の波形が前記第１ピークおよび前記第２ピークのいずれか一つと交差する時間として決定されることを特徴とする請求項５に記載の表示パネルの駆動方法。
【請求項７】
前記第１周波数信号は、前記第２周波数信号より周波数が低いことを特徴とする請求項２に記載の表示パネルの駆動方法。
【請求項８】
前記補償フレームは、前記第２周波数信号のフレームより長いことを特徴とする請求項７に記載の表示パネルの駆動方法。
【請求項９】
前記補償フレームは、前記第１周波数信号のフレームより短いことを特徴とする請求項７に記載の表示パネルの駆動方法。
【請求項１０】
共通電圧は前記表示パネルに印加され、実質的にピクセルで認識される前記共通電圧を実質共通電圧といい、
前記補償フレーム長は、前記実質共通電圧の波形が前記共通電圧と交差する時間として決定されることを特徴とする請求項９に記載の表示パネルの駆動方法。
【発明の詳細な説明】
【技術分野】
【０００１】
本発明は、表示パネルの駆動方法およびそれを行うための表示装置に関し、詳細には表示品質を向上させることができる表示パネルの駆動方法およびそれを行うための表示装置に関する。
【背景技術】
【０００２】
一般的に、液晶表示装置は、画素電極を含む第１基板、共通電極を含む第２基板および前記基板の間に介在される液晶層を含む。前記二つの電極に電圧を印加して、液晶層に電界を生成し、この電界の強さを調節し、液晶層を通過する光の透過率を調節することによって所望の画像を得る。
【０００３】
表示パネルの電力を減少させるために、画像によって液晶表示装置の駆動周波数を変更することができる。しかし、低周波から高周波に駆動周波数が変更される際、または、高周波から低周波に駆動周波数が変更される際に、フリッカが発生して表示パネルの表示品質が減少するという問題がある。
【先行技術文献】
【特許文献】
【０００４】
【特許文献１】米国特許第７０７９０９７号明細書
【特許文献２】米国特許出願公開第２０１１／２７４８７８号明細書
【特許文献３】韓国公開特許第２００８−０４８６５５号公報
【発明の概要】
【発明が解決しようとする課題】
【０００５】
これに対し、本発明の技術的課題は、このような点に着眼したものであり、本発明の目的は、フリッカを防止して表示品質を向上させる表示パネルの駆動方法を提供することにある。
【０００６】
本発明の他の目的は、前記表示パネルの駆動方法を行う表示装置を提供することにある。
【課題を解決するための手段】
【０００７】
上述した本発明の目的を実現するための一実施例に係る表示パネルの駆動方法は、第１周波数信号駆動区間、第２周波数信号駆動区間および第１周波数信号駆動区間と第２周波数信号駆動区間との間に補償フレームが挿入される区間を含む。
【０００８】
本発明の一実施例において、補償フレームは、１回挿入されてもよい。
【０００９】
本発明の一実施例において、第１周波数信号は、第２周波数信号より周波数が高くてもよい。
【００１０】
本発明の一実施例において、第１周波数信号のフレームより長くてもよい。
【００１１】
本発明の一実施例において、第２周波数信号のフレームより短くてもよい。
【００１２】
本発明の一実施例において、共通電圧は表示パネルに印加され、実質的にピクセルにおいて認識される共通電圧を実質共通電圧と称し、実質共通電圧が、表示パネルの反転駆動によって第１ピークと第２ピークとの間で増加および減少するとき、補償フレーム長は、実質共通電圧の波形が第１ピークおよび第２ピークのいずれか一つと交差する時間として決定されてもよい。
【００１３】
本発明の一実施例において、第１周波数信号は、第２周波数信号より周波数が低くてもよい。
【００１４】
本発明の一実施例において、補償フレームは、第２周波数信号のフレームより長くてもよい。
【００１５】
本発明の一実施例において、補償フレームは、第１周波数信号のフレームより短くてもよい。
【００１６】
本発明の一実施例において、共通電圧は表示パネルに印加され、実質的にピクセルで認識される共通電圧を実質共通電圧といい、補償フレーム長は、実質共通電圧の波形が共通電圧と交差する時間として決定されてもよい。
【００１７】
本発明の一実施例において、第１周波数信号駆動区間および第２周波数信号駆動区間は、入力画像データに基づいて決定されてもよい。
【００１８】
本発明の一実施例において、入力画像データが動画を示す際に、表示パネルは、第１周波数で駆動され、入力画像データが停止画像を示す際に、表示パネルは、第２周波数で駆動されてもよい。
【００１９】
本発明の一実施例において、補償フレームを挿入するステップは、補償フレームに対応する補償駆動周波数を算出するステップおよび補償駆動周波数に基づいて垂直動機信号を変換するステップを含んでもよい。
【００２０】
上述した本発明の他の目的を実現するための一実施例に係る表示装置は、表示パネルおよび表示パネル駆動部を含む。表示パネルは、画像を表示する。表示パネル駆動部は、第１周波数信号駆動区間、第２周波数信号駆動区間および第１周波数信号駆動区間と第２周波数信号駆動区間との間に補償フレームが挿入される区間を含むように表示パネルを駆動する。
【００２１】
本発明の一実施例において、表示パネル駆動部は、補償フレームを１回挿入してもよい。
【００２２】
本発明の一実施例において、第１周波数信号は、第２周波数信号より周波数が高くてもよい。
【００２３】
本発明の一実施例において、補償フレームは、第２周波数信号のフレームより短くてもよい。
【００２４】
本発明の一実施例において、第１周波数信号は、第２周波数信号より周波数が低くてもよい。
【００２５】
本発明の一実施例において、補償フレームは、第１周波数信号のフレームより短くてもよい。
【発明の効果】
【００２６】
このような表示パネルの駆動方法およびそれを行う表示装置によると、
高周波の駆動周波数から低周波の駆動周波数に周波数が変更される際に発生するフリッカおよび低周波の駆動周波数から高周波の駆動周波数に周波数が変更される際に発生するフリッカを防止して表示パネルの表示品質を向上させることができる。
【図面の簡単な説明】
【００２７】
【図１】本発明の一実施例に係る表示装置を示すブロック図である。
【図２】図１の表示パネルの駆動周波数が高周波から低周波に変更される際、ピクセル電圧および共通電圧を示す波形図である。
【図３】図１の表示パネルの駆動周波数が高周波から低周波に変更される際、表示パネルの輝度を示す波形図である。
【図４】図１のタイミングコントローラを示すブロック図である。
【図５】図４の信号補償部の動作を示す手順図である。
【図６】図４の信号補償部において、垂直開始信号を変換する方法を示すタイミング図である。
【図７】本発明の他の実施例に係る表示装置の表示パネルの駆動周波数が低周波から高周波に変更される際、ピクセル電圧および共通電圧を示す波形図である。
【図８】図７の表示パネルの駆動周波数が低周波から高周波に変更される際、表示パネルの輝度を示す波形図である。
【図９】図７の表示装置の信号補償部における垂直開始信号を変換する方法を示すタイミング図である。
【図１０】本発明の他の実施例に係る表示装置の表示パネルの駆動周波数が高周波から低周波に変更される際、および低周波から高周波に変更される際、ピクセル電圧および共通電圧を示す波形図である。
【図１１】図１０の表示パネルの駆動周波数が高周波から低周波に変更される際、および低周波から高周波に変更される際、表示パネルの輝度を示す波形図である。
【発明を実施するための形態】
【００２８】
以下、添付した図面を参照して、本発明をより詳細に説明する。
【００２９】
図１は、本発明の一実施例に係る表示装置を示すブロック図である。
【００３０】
図１を参照すると、表示装置は、表示パネル１００および表示パネル駆動部を含む。表示パネル駆動部は、タイミングコントローラ２００、ゲート駆動部３００、ガンマ基準電圧生成部４００およびデータ駆動部５００を含む。
【００３１】
表示パネル１００は、画像を表示する表示部および前記表示部に隣り合わせて配置される周辺部を含む。
【００３２】
表示パネル１００は、複数のゲートラインＧＬ、複数のデータラインＤＬおよびゲートラインＧＬとデータラインＤＬとのそれぞれに電気的に接続された複数のピクセルを含む。ゲートラインＧＬは、第１方向Ｄ１に延び、データラインＤＬは、第１方向Ｄ１と交差する第２方向Ｄ２に延びる。
【００３３】
各ピクセルは、スイッチング素子(図示せず)、スイッチング素子に電気的に接続された液晶キャパシタ(図示せず)およびストレージキャパシタ(図示せず)を含んでもよい。ここで、ピクセルは、マトリックス形態に配置されてもよい。
【００３４】
タイミングコントローラ２００は、外部の装置(図示せず)から入力画像データＲＧＢおよび入力制御信号ＣＯＮＴを受信する。入力画像データは赤色画像データＲ、緑色画像データＧおよび青色画像データＢを含んでもよい。入力制御信号ＣＯＮＴは、マスタークロック信号、データイネーブル信号を含んでもよい。入力制御信号ＣＯＮＴは、垂直動機信号および水平動機信号をさらに含んでもよい。
【００３５】
タイミングコントローラ２００は、入力画像データＲＧＢおよび入力制御信号ＣＯＮＴに基づき、第１制御信号ＣＯＮＴ１、第２制御信号ＣＯＮＴ２、第３制御信号ＣＯＮＴ３およびデータ信号ＤＡＴＡを生成する。
【００３６】
タイミングコントローラ２００は、入力画像データＲＧＢに基づいて表示パネル１００の駆動周波数を調節してもよい。タイミングコントローラ２００は、表示パネル１００の駆動周波数が高周波から低周波に変更される際、補償フレームを挿入してもよい。
【００３７】
例えば、タイミングコントローラ２００は、入力画像データＲＧＢが停止画像を示す際、表示パネル１００の周波数を低周波で調節する。タイミングコントローラ２００は、入力画像データＲＧＢが動画を示す際に、表示パネル１００の周波数を高周波で調節する。したがって、表示装置の消費電力を減少させることができる。
【００３８】
タイミングコントローラ２００は、入力制御信号ＣＯＮＴに基づき、ゲート駆動部３００の動作を制御するための第１制御信号ＣＯＮＴ１を生成してゲート駆動部３００に出力する。第１制御信号ＣＯＮＴ１は、垂直開始信号およびゲートクロック信号を含んでもよい。
【００３９】
タイミングコントローラ２００は、入力制御信号ＣＯＮＴに基づき、データ駆動部５００の動作を制御するための第２制御信号ＣＯＮＴ２を生成してデータ駆動部５００に出力する。第２制御信号ＣＯＮＴ２は水平開始信号およびロード信号を含んでもよい。
【００４０】
タイミングコントローラ２００は、入力画像データＲＧＢに基づき、データ信号ＤＡＴＡを生成する。タイミングコントローラ２００は、データ信号ＤＡＴＡをデータ駆動部５００に出力する。
【００４１】
タイミングコントローラ２００は、入力制御信号ＣＯＮＴに基づき、ガンマ基準電圧生成部４００の動作を制御するための第３制御信号ＣＯＮＴ３を生成してガンマ基準電圧生成部４００に出力する。
【００４２】
タイミングコントローラ２００の構成に対しては、図４を参照して詳細に説明する。
【００４３】
ゲート駆動部３００は、タイミングコントローラ２００から入力された第１制御信号ＣＯＮＴ１に応答し、ゲートラインＧＬを駆動するためのゲート信号を生成する。ゲート駆動部３００は、ゲート信号をゲートラインＧＬに順次出力する。
【００４４】
ゲート駆動部３００は、表示パネル１００に直接実装（ｍｏｕｎｔｅｄ）されてもよく、テープキャリアパッケージ（ｔａｐｅ  ｃａｒｒｉｅｒ  ｐａｃｋａｇｅ：ＴＣＰ）形態において、表示パネル１００に接続されてもよい。一方、ゲート駆動部３００は、表示パネル１００の周辺部に集積(ｉｎｔｅｇｒａｔｅｄ)されてもよい。
【００４５】
ガンマ基準電圧生成部４００は、タイミングコントローラ２００から入力された第３制御信号ＣＯＮＴ３に応答し、ガンマ基準電圧ＶＧＲＥＦを生成する。ガンマ基準電圧生成部４００は、ガンマ基準電圧ＶＧＲＥＦをデータ駆動部５００に提供する。ガンマ基準電圧ＶＧＲＥＦは、それぞれのデータ信号ＤＡＴＡに対応する値を有する。
【００４６】
本発明の一実施例において、ガンマ基準電圧生成部４００は、タイミングコントローラ２００内に配置されてもよく、データ駆動部５００内に配置されてもよい。
【００４７】
データ駆動部５００は、タイミングコントローラ２００から第２制御信号ＣＯＮＴ２およびデータ信号ＤＡＴＡが入力され、ガンマ基準電圧生成部４００からガンマ基準電圧ＶＧＲＥＦが入力される。データ駆動部５００は、ガンマ基準電圧ＶＧＲＥＦを用いてデータ信号ＤＡＴＡをアナログ形態のデータ電圧に変換する。データ駆動部５００はデータ電圧をデータラインＤＬに出力する。
【００４８】
データ駆動部５００は、表示パネル１００に直接実装されてもよく、テープキャリアパッケージ（ｔａｐｅ  ｃａｒｒｉｅｒ  ｐａｃｋａｇｅ：ＴＣＰ）形態で表示パネル１００に接続されてもよい。一方、データ駆動部５００は、表示パネル１００の周辺部に集積されてもよい。
【００４９】
図２は、図１の表示パネルの駆動周波数が高周波から低周波に変更される際に、ピクセル電圧および共通電圧を示す波形図である。図３は、図１の表示パネルの駆動周波数が高周波から低周波に変更される際に、表示パネルの輝度を示す波形図である。
【００５０】
図１乃至図３では、表示パネル１００の駆動周波数が高周波から低周波に変更される場合を例示する。
【００５１】
表示パネル１００に印加される共通電圧ＶＣＯＭは、直流電圧である。しかしながら、表示パネル１００のピクセルで認識される共通電圧は、直流のレベルを有しなくてもよい。表示パネル１００のピクセルで認識される共通電圧は、実質共通電圧ＶＣＯＭＳであると定義される。例えば、ピクセルに陽極性のデータ電圧が印加される際には、ピクセルの残留ＤＣによって実質共通電圧ＶＣＯＭＳは減少する。ピクセルに陰極性のデータ電圧が印加される際には、ピクセルの残留ＤＣによって実質共通電圧ＶＣＯＭＳは増加する。正常状態（ｓｔｅａｄｙ  ｓｔａｔｅ）において、実質共通電圧ＶＣＯＭＳは、第１ピークＰ１と第２ピークＰ２との間で増加および減少を繰り返してもよい。正常状態（ｓｔｅａｄｙ  ｓｔａｔｅ）において、第１ピークＰ１および第２ピークＰ２は、共通電圧ＶＣＯＭを基準として対称となる値を有してもよい。例えば、第１ピークＰ１および共通電圧ＶＣＯＭの差異は、共通電圧ＶＣＯＭおよび第２ピークＰ２の差と同じこともある。
【００５２】
実質共通電圧ＶＣＯＭＳが増加および減少するという問題は、表示パネル１００の駆動周波数が低いときにより深刻になる。本発明において、実質共通電圧ＶＣＯＭＳは低周波の駆動周波数において増加および減少する。高周波の駆動周波数ではピクセルの残留ＤＣの影響を無視してもよい。したがって、高周波の駆動周波数では、実質共通電圧ＶＣＯＭＳは、共通電圧ＶＣＯＭと同一であると考えてもよい。
【００５３】
表示パネル１００の駆動周波数が高周波のＮ番目フレームＨＦＮから低周波の初期フレームＦ０にすぐに変更されれば、実質共通電圧ＶＣＯＭＳは、共通電圧ＶＣＯＭのレベルから増加または減少する。低周波の初期フレームＦ０の極性が正極性ならば、低周波の初期フレームＦ０の実質共通電圧ＶＣＯＭＳは、共通電圧ＶＣＯＭのレベルから減少する。
【００５４】
低周波の第１フレームＦ１になると、実質共通電圧ＶＣＯＭＳは増加して、低周波の第２フレームＦ２になると、実質共通電圧ＶＣＯＭＳは再び減少する。
【００５５】
低周波の第１フレームＦ１乃至第８フレームＦ８において、実質共通電圧ＶＣＯＭＳは、共通電圧ＶＣＯＭを基準として増加および減少を繰り返す。実質共通電圧ＶＣＯＭＳは、共通電圧ＶＣＯＭを基準として対称となるように増加および減少するように進行される。
【００５６】
例えば、第７フレームＦ７および第８フレームＦ８において、実質共通電圧ＶＣＯＭＳは、増加および減少して共通電圧ＶＣＯＭを基準として対称となるように増加および減少する。第７フレームＦ７および第８フレームＦ８以後を正常状態（ｓｔｅａｄｙ  ｓｔａｔｅ）ということができる。
【００５７】
一方で、低周波の第１フレームＦ１および第２フレームＦ２の実質共通電圧ＶＣＯＭＳは、共通電圧ＶＣＯＭを基準として対称とならない。したがって、同じ画像に対して、低周波の第１フレームＦ１の輝度は、低周波の第２フレームＦ２の輝度とは異なる。このようなフレームの間の輝度差が観察者にフリッカで視認されてもよい。
【００５８】
本発明の実施例において、表示パネル１００の駆動周波数が高周波のＮ番目フレームＨＦＮから低周波の第１フレームＦ１に変更される際、第１補償フレームＣＦ１を挿入する。
【００５９】
第１補償フレームＣＦ１の長さは、低周波のフレームＦ１の長さより短い。例えば、低周波の駆動周波数が１Ｈｚである場合、低周波の各フレームの長さは１秒に該当し、第１補償フレームＣＦ１の長さは１秒より短い。
【００６０】
第１補償フレームＣＦ１は、実質共通電圧ＶＣＯＭＳの波形が第１ピークＰ１および第２ピークＰ２のいずれか一つと交差する時間として決定される。図２において、第１補償フレームＣＦ１では、正極性のデータ電圧が印加される。第１補償フレームＣＦ１において、実質共通電圧ＶＣＯＭＳは、共通電圧ＶＣＯＭのレベルから第２ピークＰ２まで減少し、実質共通電圧ＶＣＯＭＳが第２ピークＰ２に交差すると、第１補償フレームＣＦ１が終了する。
【００６１】
低周波の第１フレームＦ１の開始ステップにおいて、実質共通電圧ＶＣＯＭＳは、実質共通電圧ＶＣＯＭＳの正常状態のピーク電圧である第２ピークＰ２のレベルを有する。したがって、実質共通電圧ＶＣＯＭＳの波形は、正常状態において、低周波の第１フレームＦ１から開始してもよい。実質共通電圧ＶＣＯＭＳは、第１ピークＰ１と第２ピークＰ２との間で、低周波の第１フレームＦ１から増加および減少する。
【００６２】
低周波の第１フレームＦ１および第２フレームＦ２において、実質共通電圧ＶＣＯＭＳは、共通電圧ＶＣＯＭを基準として対称である。したがって、低周波の第１フレームＦ１および第２フレームＦ２の輝度は、ほぼ差がない。結果的に、第１補償フレームＣＦ１の挿入により、残留ＤＣの影響が最小化されて表示パネル１００はフリッカを発生させない。
【００６３】
例えば、第１補償フレームＣＦ１は、実質共通電圧ＶＣＯＭＳを測定して決定されてもよい。これとは異なり、第１補償フレームＣＦ１は目視検査を通じてフリッカが発生しないように決定されてもよい。
【００６４】
図４は、図１のタイミングコントローラを示すブロック図である。図５は図４の信号補償部の動作を示す手順図である。図６は、図４の信号補償部における垂直開始信号を変換する方法を示すタイミング図である。
【００６５】
図１乃至図６を参照すると、タイミングコントローラ２００は、画像補正部２２０、画像判断部２４０、信号補償部２６０および信号生成部２８０を含む。
【００６６】
画像補正部２２０は、入力画像データＲＧＢを受信する。
【００６７】
画像補正部２２０は、入力画像データＲＧＢの階調を補正する。画像補正部２２０は色特性補償部(図示せず)および能動キャパシタンス補償部(図示せず)を含んでもよい。
【００６８】
色特性補償部は、入力画像データＲＧＢの階調データを受信して色特性補償(Ａｄａｐｔｉｖｅ  Ｃｏｌｏｒ  Ｃｏｒｒｅｃｔｉｏｎ、以下、ＡＣＣと称する)を行う。色特性補償部はガンマ曲線を用いて階調データを補償してもよい。
【００６９】
能動キャパシタンス補償部は、過去のフレームデータと現在のフレームデータを用い、現在のフレームデータの階調データを補正する能動キャパシタンス補償(Ｄｙｎａｍｉｃ Ｃａｐａｃｉｔａｎｃｅ Ｃｏｍｐｅｎｓａｔｉｏｎ、以下、ＤＣＣと称する)を行う。
【００７０】
画像補正部２２０は、入力画像データＲＧＢの階調を補正して、データ駆動部５００の形式に合うように入力画像データＲＧＢを再配置してデータ信号ＤＡＴＡを生成する。データ信号ＤＡＴＡは、デジタル信号であってもよい。画像補正部２２０は、データ信号ＤＡＴＡをデータ駆動部５００に出力する。
【００７１】
画像判断部２４０は、入力画像データＲＧＢを受信する。画像判断部２４０は、入力画像データＲＧＢに基づいて前記画像のモードＩＭを判断する。
【００７２】
画像判断部２４０は、入力画像データＲＧＢに基づいて駆動周波数を調節するための根拠を信号補償部２６０に提供する。例えば、画像判断部２４０は、入力画像データＲＧＢが停止画像または動画を示し、画像モードＩＭを生成することを決定してもよい。このとき、画像モードＩＭは、停止画像モードおよび同画像モードを含んでもよい。
【００７３】
これとは異なり、画像判断部２４０は、入力画像データＲＧＢの画像の動きの程度を判断して色々なステップの画像モードＩＭを生成してもよい。
【００７４】
画像判断部２４０は、画像モードＩＭを信号補償部２６０に出力する。
【００７５】
信号補償部２６０は、入力画像データＲＧＢに基づいて駆動周波数を判断する。具体的に信号補償部２６０は、画像判断部２４０から受信した画像モードＩＭに基づいて駆動周波数を調節してもよい。
【００７６】
例えば、信号補償部２６０は、画像モードＩＭが停止画像モードである場合、駆動周波数を低周波に調節してもよい。信号補償部２６０は、画像モードＩＭが同画像モードである場合、駆動周波数を高周波に調節してもよい。例えば、低周波の駆動周波数は、１Ｈｚであってもよい。例えば、高周波の駆動周波数は、６０Ｈｚであってもよい。
【００７７】
信号補償部２６０は、駆動周波数が高周波の駆動周波数から低周波の駆動周波数に減少するとき、第１補償フレームＣＦ１を挿入するための補償制御信号ＣＣＯＮＴを生成する。
【００７８】
信号補償部２６０は、入力制御信号ＣＯＮＴを変換し、補償制御信号ＣＣＯＮＴを生成する。入力制御信号ＣＯＮＴは、垂直動機信号ＶＳＹＮＣ、水平動機信号ＨＳＹＮＣおよびデータイネーブル信号ＤＥを含んでもよい。信号補償部２６０は、垂直動機信号ＶＳＹＮＣ、水平動機信号ＨＳＹＮＣおよびデータイネーブル信号ＤＥを変換する。信号補償部２６０は、補償フレームの長さを考慮して垂直動機信号ＶＳＹＮＣ、水平動機信号ＨＳＹＮＣおよびデータイネーブル信号ＤＥを変換してもよい。
【００７９】
図５を参照して信号補償部２６０の動作を詳細に説明する。
【００８０】
信号補償部２６０は、画像モードＩＭに基づいて駆動周波数を判断する(ステップＳ１００)。
【００８１】
信号補償部２６０は、駆動周波数が変更されたのか判断する(ステップＳ２００)。
【００８２】
信号補償部２６０は、駆動周波数が変更された場合、駆動周波数の変更による補償フレームを決めて、補償フレームの補償駆動周波数を算出する(ステップＳ３００)。 
【００８３】
補償駆動周波数は、補償フレームの長さと反比例してもよい。例えば、補償フレームの長さが０．５５秒である場合、補償駆動周波数は、約１．８１８Ｈｚであってもよい。例えば、補償駆動周波数は、低周波駆動周波数より大きいこともある。反面、補償駆動周波数は、高周波駆動周波数より小さいこともある。
【００８４】
信号補償部２６０は、入力垂直動機信号ＩＮＰＵＴ  ＶＳＹＮＣのパルスの個数をカウントする。入力垂直動機信号ＩＮＰＵＴ  ＶＳＹＮＣのパルスの個数は、フレームカウントＦＲＡＭＥ  ＣＯＵＮＴという。信号補償部２６０は、フレームカウントＦＲＡＭＥ  ＣＯＵＮＴと６０／駆動周波数を比較する(ステップＳ４００)。
【００８５】
フレームカウントＦＲＡＭＥ  ＣＯＵＮＴが６０／駆動周波数と一致すれば出力垂直動機信号ＯＵＴＰＵＴ  ＶＳＹＮＣのパルスを出力する(ステップＳ５００)。
【００８６】
信号補償部２６０は、フレームカウントＦＲＡＭＥ  ＣＯＵＮＴが６０／駆動周波数と一致しなければ、出力垂直動機信号ＯＵＴＰＵＴ  ＶＳＹＮＣのパルスを出力しない(ステップＳ６００)。
【００８７】
図６は、高周波駆動周波数が６０Ｈｚであり、低周波駆動周波数が１Ｈｚであり、第１補償フレームＣＦ１の長さは、０．５５秒である場合に出力垂直動機信号ＯＵＴＰＵＴ  ＶＳＹＮＣを出力する場合を例示する。
【００８８】
第１補償フレームＣＦ１の補償駆動周波数は、約１．８１８Ｈｚである。したがって、出力垂直動機信号ＯＵＴＰＵＴ  ＶＳＹＮＣの６０／１．８１８に該当する３３個のパルスのうち、一つのパルスのみを出力する。
【００８９】
信号生成部２８０は、補償制御信号ＣＣＯＮＴを受信する。
【００９０】
信号生成部２８０は、補償制御信号ＣＣＯＮＴに基づいてゲート駆動部３００の駆動タイミングを調節するための第１制御信号ＣＯＮＴ１を生成して、データ駆動部５００の駆動タイミングを調節するための前記第２制御信号ＣＯＮＴ２を生成する。
【００９１】
信号生成部２８０は、補償制御信号ＣＣＯＮＴに基づいてガンマ基準電圧生成部４００の駆動タイミングを調節するための第３制御信号ＣＯＮＴ３を生成する。
【００９２】
信号生成部２８０は、第１制御信号ＣＯＮＴ１をゲート駆動部３００に出力して第２制御信号ＣＯＮＴ２をデータ駆動部５００に出力して、第３制御信号ＣＯＮＴ３をガンマ基準電圧生成部４００に出力する。
【００９３】
本実施例によれば、高周波の駆動周波数から低周波の駆動周波数に周波数が変更される際に発生するフリッカを防止して表示パネル１００の表示品質を向上させることができる。
【００９４】
図７は、本発明の他の実施例に係る表示装置の表示パネルの駆動周波数が低周波から高周波に変更される際に、ピクセル電圧および共通電圧を示す波形図である。図８は、図７の表示パネルの駆動周波数が低周波から高周波に変更される際に、表示パネルの輝度を示す波形図である。図９は、図７の表示装置の信号補償部における垂直開始信号を変換する方法を示すタイミング図である。
【００９５】
本実施例に係る表示装置は、駆動周波数が低周波から高周波に変更される際に、補償フレームを挿入するのを除けば、図１乃至図６の表示装置と実質的に同一なので、同一または、類似の構成要素に対しては、同じ参照番号を用い、重複する説明は、省略する。
【００９６】
図１、図４、図５、図７乃至図９を参照すると、表示装置は、表示パネル１００および表示パネル駆動部を含む。表示パネル駆動部は、タイミングコントローラ２００、ゲート駆動部３００、ガンマ基準電圧生成部４００およびデータ駆動部５００を含む。
【００９７】
タイミングコントローラ２００は、入力画像データＲＧＢに基づいて表示パネル１００の駆動周波数を調節してもよい。タイミングコントローラ２００は、表示パネル１００の駆動周波数が低周波から高周波に変更される際、補償フレームを挿入してもよい。
【００９８】
表示パネル１００の駆動周波数は、低周波から高周波に変更される場合を例示する。
【００９９】
表示パネル１００に印加される共通電圧ＶＣＯＭは、直流電圧である。しかしながら、表示パネル１００のピクセルで認識される共通電圧は、直流のレベルを有しないこともある。表示パネル１００のピクセルで認識される共通電圧は、実質共通電圧ＶＣＯＭＳであると定義される。例えば、ピクセルに陽極性のデータ電圧が印加される際には、ピクセルの残留ＤＣによって実質共通電圧ＶＣＯＭＳは減少する。ピクセルに陰極性のデータ電圧が印加される際には、ピクセルの残留ＤＣによって実質共通電圧ＶＣＯＭＳは増加する。正常状態（ｓｔｅａｄｙ  ｓｔａｔｅ）において、実質共通電圧ＶＣＯＭＳは、第１ピークＰ１と第２ピークＰ２との間で増加および減少を繰り返してもよい。正常状態（ｓｔｅａｄｙ  ｓｔａｔｅ）において、第１ピークＰ１および第２ピークＰ２は、共通電圧ＶＣＯＭを基準として対称となる値を有してもよい。例えば、第１ピークＰ１および共通電圧ＶＣＯＭの差異は、共通電圧ＶＣＯＭおよび第２ピークＰ２の差と同じこともある。
【０１００】
表示パネル１００の駆動周波数が低周波のＮ番目フレームＦＮから高周波の第１フレームＨＦ１に補償フレームなしに変更されれば、高周波の第１フレームＨＦ１の初期に実質共通電圧ＶＣＯＭＳは、共通電圧ＶＣＯＭのレベルと大きい差を有する。
【０１０１】
したがって、高周波の第１フレームＨＦ１であり、表示パネル１００の輝度レベルは激しく揺れる。したがって、このような輝度レベルの揺れが観察者にフリッカで視認されることがある。
【０１０２】
本発明の実施例において、表示パネル１００の駆動周波数が低周波のＮ番目フレームＦＮから高周波の第１フレームＨＦ１に変更される際、第２補償フレームＣＦ２を挿入する。
【０１０３】
第２補償フレームＣＦ２の長さは、低周波のフレームＦＮの長さより短い。例えば、低周波の駆動周波数が１Ｈｚである場合、低周波の各フレームの長さは１秒に該当し、第２補償フレームＣＦ２の長さは１秒より短い。
【０１０４】
第２補償フレームＣＦ２は、実質共通電圧ＶＣＯＭＳの波形が共通電圧ＶＣＯＭと交差する時間として決定される。図７において、第２補償フレームＣＦ２では、負極性のデータ電圧が印加される。第２補償フレームＣＦ２において、実質共通電圧ＶＣＯＭＳは、共通電圧ＶＣＯＭより小さいレベルから共通電圧ＶＣＯＭのレベルに向かって増加して、実質共通電圧ＶＣＯＭＳが共通電圧ＶＣＯＭに交差すると、第２補償フレームＣＦ２が終了する。
【０１０５】
高周波の第１フレームＨＦ１の開始ステップにおいて、実質共通電圧ＶＣＯＭＳは、共通電圧ＶＣＯＭのレベルを有する。したがって、高周波の第１フレームＨＦ１の輝度は激しく揺れない。結果的に、第２補償フレームＣＦ２の挿入により、残留ＤＣの影響が最小化され、表示パネル１００はフリッカを発生させない。
【０１０６】
例えば、第２補償フレームＣＦ２は、実質共通電圧ＶＣＯＭＳを測定して決定されてもよい。これとは異なり、第２補償フレームＣＦ２は、目視検査を通じてフリッカが発生しないように決定されてもよい。
【０１０７】
図９は、高周波駆動周波数が６０Ｈｚであり、低周波駆動周波数が１Ｈｚであり、第２補償フレームＣＦ２の長さは０．４秒である場合に出力垂直動機信号ＯＵＴＰＵＴ ＶＳＹＮＣを出力する場合を例示する。
【０１０８】
第２補償フレームＣＦ２の補償駆動周波数は約２．５Ｈｚである。したがって、出力垂直動機信号ＯＵＴＰＵＴ  ＶＳＹＮＣの６０／２．５に該当する２４個のパルスのうち、一つのパルスのみを出力する。
【０１０９】
本実施例によれば、低周波の駆動周波数から高周波の駆動周波数に周波数が変更される際に発生するフリッカを防止して表示パネル１００の表示品質を向上させることができる。
【０１１０】
図１０は、本発明の他の実施例に係る表示装置の表示パネルの駆動周波数が高周波から低周波に変更される際、および低周波から高周波に変更される際に、ピクセル電圧および共通電圧を示す波形図である。図１１は、図１０の表示パネルの駆動周波数が高周波から低周波に変更される際、および低周波から高周波に変更される際に、表示パネルの輝度を示す波形図である。
【０１１１】
本実施例に係る表示装置は、駆動周波数が高周波から低周波に変更される際、および低周波から高周波に変更される際に、補償フレームを挿入することを除けば、図１乃至図６の表示装置と実質的に同一なので、同一または、類似の構成要素に対しては同じ参照番号を用い、重複する説明は省略する。
【０１１２】
図１、図４、図５、図１０および図１１を参照すると、表示装置は、表示パネル１００および表示パネル駆動部を含む。表示パネル駆動部は、タイミングコントローラ２００、ゲート駆動部３００、ガンマ基準電圧生成部４００およびデータ駆動部５００を含む。
【０１１３】
タイミングコントローラ２００は、入力画像データＲＧＢに基づいて、表示パネル１００の駆動周波数を調節してもよい。タイミングコントローラ２００は、表示パネル１００の駆動周波数が高周波から低周波に変更される際に、第１補償フレームを挿入してもよい。また、タイミングコントローラ２００は、表示パネル１００の駆動周波数が低周波から高周波に変更される際に、第２補償フレームを挿入してもよい。
【０１１４】
表示パネル１００に印加される共通電圧ＶＣＯＭは、直流電圧である。しかしながら、表示パネル１００のピクセルで認識される共通電圧は、直流のレベルを有しなくてもよい。表示パネル１００のピクセルで認識される共通電圧は、実質共通電圧ＶＣＯＭＳであると定義される。例えば、ピクセルに陽極性のデータ電圧が印加される際には、ピクセルの残留ＤＣによって実質共通電圧ＶＣＯＭＳは減少する。ピクセルに陰極性のデータ電圧が印加される際には、ピクセルの残留ＤＣによって実質共通電圧ＶＣＯＭＳは増加する。正常状態（ｓｔｅａｄｙ  ｓｔａｔｅ）において実質共通電圧ＶＣＯＭＳは、第１ピークＰ１と第２ピークＰ２との間で増加および減少してもよい。正常状態（ｓｔｅａｄｙ  ｓｔａｔｅ）において第１ピークＰ１および第２ピークＰ２は、共通電圧ＶＣＯＭを基準として対称となる値を有してもよい。例えば、第１ピークＰ１および共通電圧ＶＣＯＭの差異は、共通電圧ＶＣＯＭおよび第２ピークＰ２の差と同じであってもよい。
【０１１５】
本発明の実施例において、表示パネル１００の駆動周波数が高周波のＮ番目フレームＨＦＮから低周波の第１フレームＦ１に変更される際に、第１補償フレームＣＦ１を挿入する。
【０１１６】
第１補償フレームＣＦ１の長さは、低周波のフレームＦ１の長さより短い。例えば、低周波の駆動周波数が１Ｈｚである場合、低周波の各フレームの長さは１秒に該当し、第１補償フレームＣＦ１の長さは１秒より短い。
【０１１７】
低周波の第１フレームＦ１の開始ステップにおいて、実質共通電圧ＶＣＯＭＳは、実質共通電圧ＶＣＯＭＳの正常状態のピーク電圧である第２ピークＰ２のレベルを有する。したがって、実質共通電圧ＶＣＯＭＳの波形は、正常状態において、低周波の第１フレームＦ１から開始してもよい。実質共通電圧ＶＣＯＭＳは、第１ピークＰ１と第２ピークＰ２との間で、低周波の第１フレームＦ１から増加および減少する。
【０１１８】
低周波の第１フレームＦ１および第２フレームＦ２の実質共通電圧ＶＣＯＭＳは、共通電圧ＶＣＯＭを基準として対称である。したがって、低周波の第１フレームＦ１および第２フレームＦ２の輝度は、ほぼ差がない。結果的に、第１補償フレームＣＦ１の挿入により、残留ＤＣの影響が最小化されて表示パネル１００はフリッカを発生させない。
【０１１９】
本発明の実施例において、表示パネル１００の駆動周波数が低周波のＮ番目フレームＦＮから高周波の第１フレームＨＦ１に変更される際、第２補償フレームＣＦ２を挿入する。
【０１２０】
第２補償フレームＣＦ２の長さは、低周波のフレームＦＮの長さより短い。例えば、低周波の駆動周波数が１Ｈｚである際、低周波の各フレームの長さは１秒に該当し、第２補償フレームＣＦ２の長さは、１秒より短い。
【０１２１】
高周波の第１フレームＨＦ１の開始ステップにおいて、実質共通電圧ＶＣＯＭＳは、共通電圧ＶＣＯＭのレベルを有する。したがって、高周波の第１フレームＨＦ１の輝度は激しく揺れない。結果的に、第２補償フレームＣＦ２の挿入により、残留ＤＣの影響が最小化されて表示パネル１００はフリッカを発生させない。
【０１２２】
本実施例によれば、高周波の駆動周波数から低周波の駆動周波数に周波数が変更される際に発生するフリッカ、および低周波の駆動周波数から高周波の駆動周波数に周波数が変更される際に発生するフリッカを防止して表示パネル１００の表示品質を向上させることができる。
【産業上の利用可能性】
【０１２３】
以上、説明した本発明に係る表示パネルの駆動方法およびそれを行う表示装置によると、入力画像データにより駆動周波数を変更して表示装置の消費電力を減少させることができる。駆動周波数を変更する際に発生するフリッカの発生を防止して表示装置の表示装置の品質を向上させることができる。
【０１２４】
以上、実施例を参照して説明したが、当該技術分野の熟練した当業者は、下記の特許請求の範囲に記載された本発明の思想および領域から逸脱しない範囲内で本発明を多様に修正および変更させる可能性があることを理解できる。
【符号の説明】
【０１２５】
１００       表示パネル   ２００       タイミングコントローラ
２２０       画像補正部   ２４０       画像判断部
２６０       信号補償部   ２８０       信号生成部
３００       ゲート駆動部 ４００       ガンマ基準電圧生成部
５００       データ駆動部
【図１】
2015102869.tif 000003
【図２】
2015102869.tif 000004
【図３】
2015102869.tif 000005
【図４】
2015102869.tif 000006
【図５】
2015102869.tif 000007
【図６】
2015102869.tif 000008
【図７】
2015102869.tif 000009
【図８】
2015102869.tif 000010
【図９】
2015102869.tif 000011
【図１０】
2015102869.tif 000012
【図１１】
2015102869.tif 000013